(57)【要約】  【課題】  外部環境に合わせて画面を見やすくすることができるとともに、消費電力を削減することができる電子機器を提供すること。  【解決手段】  ＣＰＵ１１は、明るさセンサ１６が検出した外部の明るさを示す値を読み込み、読み込んだ値に適した表示装置１４の画面照明照度を求め、求めた画面照明照度となるような設定値を波形整形器１９に出力する。波形整形器１９では、コンデンサ１９ｂにより、ＣＰＵ１１が出力した信号の急激な変化が和らげられ、ゆるやかに変化する信号が出力され、この信号により照明２０を制御する。【選択図】  図１
2006343389.tif 000002
【特許請求の範囲】
【請求項１】
外部の照度を検出する照度検出部と、画面照度を制御する照明と、設定された周期毎に前記外部の照度に適した画面照度にする前記照明への設定値である画面照度設定値を求める画面照度設定値算出部と、前記照明への設定値を前記画面照度設定値までゆるやかに変化させて前記照明に設定する画面照度制御部とを備えることを特徴とする電子機器。
【請求項２】
前記画面照度設定値算出部は、前記周期毎に前記画面照度設定値を出力し、前記画面照度制御部は、前記画面照度設定値の出力信号の波形をゆるやかに変化するように整形し、この波形整形した信号を前記照明に設定することを特徴とする請求項１に記載の電子機器。
【請求項３】
前記画面照度設定値算出部は、前記画面照度設定値の算出時に、次の検出周期までに前記照明への設定値を前記画面照度設定値に変化させるクロック周期及びステップ値を出力し、前記画面照度制御部は、前記照明への設定値を前記クロック周期毎に前記ステップ値だけ変化させることを特徴とする請求項１に記載の電子機器。
【発明の詳細な説明】
【技術分野】
【０００１】
本発明は、表示装置の画面照度を自動調節する電子機器に関するものである。
【背景技術】
【０００２】
従来、照度センサを用いて外部環境の明るさを検出し、画面照度を自動調節するものがある（例えば、特許文献１参照）。
【０００３】
一般に、バックライト式液晶等の場合、外部環境が明るい場合は画面照度を高く、外部環境が暗い場合は画面照度を低く、制御するとコントラストが一定となり見やすくなると言われている。
【特許文献１】特開平９−３１１３１７号公報
【発明の開示】
【発明が解決しようとする課題】
【０００４】
しかしながら、このような従来の電子機器においては、照度センサによる検出を十分に短い周期で行って画面の照度を調節しないと、画面照度が一瞬で大きく変化してしまい、画面がちらついて見にくくなってしまう。
【０００５】
一方、十分に短い周期で照度センサによる検出を行うと、ＣＰＵ（Central Processing Unit）を停止することができず、無駄に電力を消費することになり、特に携帯機器等の電池駆動の機器の場合問題だった。
【０００６】
また、このような問題を解決するため、ＣＰＵとは別にアナログ回路にて同様の制御を試みたものもあったが、最適な画面照度調節のためには非線形制御が必要な場合が多く、最適な制御は難しかった。
【０００７】
本発明は、従来の問題を解決するためになされたもので、照度センサによる検出の周期を長くしても画面照度をゆるやかに変化させることができ、外部環境に合わせて画面を見やすくすることができるとともに、消費電力を削減することができる電子機器を提供することを目的とする。
【課題を解決するための手段】
【０００８】
本発明の電子機器は、外部の照度を検出する照度検出部と、画面照度を制御する照明と、設定された周期毎に前記外部の照度に適した画面照度にする前記照明への設定値である画面照度設定値を求める画面照度設定値算出部と、前記照明への設定値を前記画面照度設定値までゆるやかに変化させて前記照明に設定する画面照度制御部とを備える構成を有している。
【０００９】
この構成により、画面照度が、外部の照度に適した照度までゆるやかに変えられる。したがって、外部の照度の検出周期を長くしても画面照度をゆるやかに変化させることができる。
【００１０】
ここで、前記画面照度設定値算出部は、前記周期毎に前記画面照度設定値を出力し、前記画面照度制御部は、前記画面照度設定値の出力信号の波形をゆるやかに変化するように整形し、この波形整形した信号を前記照明に設定する構成とした。
【００１１】
この構成により、画面照度設定値算出部が出力する検出周期毎に変化する信号がゆるやかに変化するように波形整形され、波形整形された信号に基づいて照明が制御される。したがって、外部の照度の検出周期を長くしても画面照度をゆるやかに変化させることができる。
【００１２】
また、前記画面照度設定値算出部は、前記画面照度設定値の算出時に、次の検出周期までに前記照明への設定値を前記画面照度設定値に変化させるクロック周期及びステップ値を出力し、前記画面照度制御部は、前記照明への設定値を前記クロック周期毎に前記ステップ値だけ変化させる構成とした。
【００１３】
この構成により、次の検出周期までの間に画面照度が外部の照度に適した照度になるように、画面照度がクロック周期毎にステップ値ずつ変えられる。したがって、外部の照度の検出周期を長くしても画面照度をゆるやかに変化させることができる。
【発明の効果】
【００１４】
本発明によれば、外部の照度に適した照度になるまで、画面照度をゆるやかに変化させることにより、照度センサによる検出の周期を長くしても画面照度をゆるやかに変化させることができ、外部環境に合わせて画面を見やすくすることができるとともに、消費電力を削減することができる。
【発明を実施するための最良の形態】
【００１５】
以下、本発明の実施の形態について、図面を参照して説明する。
【００１６】
（第１の実施の形態）
図１は本発明の第１の実施の形態の電子機器を示す図である。
【００１７】
図１において、本実施の形態の電子機器は、制御プログラムに従って各部を統括制御するとともに各種処理を実行するＣＰＵ１１と、その制御プログラムや動作する上で必要なデータを記憶するメモリ１２と、ＣＰＵ１１と周辺機器との信号の入出力を制御する入出力（Ｉ／Ｏ）インタフェース１３ａ，１３ｂと、各種情報を表示する表示装置１４と、表示装置１４の表示を制御する表示装置制御部１５と、外部の明るさ（照度）を検出する明るさセンサ１６と、明るさセンサ１６の出力する検出結果信号をデジタル信号に変換するアナログデジタル変換部１７と、ＣＰＵ１１の出力する画面照明照度の設定出力をアナログ信号に変換するデジタルアナログ変換部１８と、デジタルアナログ変換部１８の出力する信号をなめらかに波形整形する波形整形器１９と、波形整形器１９の出力する信号に基づいて表示装置１４の画面照度を変える照明２０とを備えている。なお、ＣＰＵ１１は画面照度設定値算出部として動作し、波形整形器１９は画面照度制御部として動作し、明るさセンサ１６は照度検出部として動作する。
【００１８】
波形整形器１９は、入力と出力の間に接続された抵抗１９ａと、抵抗１９ａの出力端と接地の間に接続されたコンデンサ１９ｂとを有している。
【００１９】
このような電子機器において、ＣＰＵ１１は、明るさセンサ１６の検出結果により、照明２０の照度を調節するようになっている。
【００２０】
具体的には、図２のフローチャートに示すように、ＣＰＵ１１は、明るさセンサ１６が検出した外部の明るさを示す値を読み込む（Ｓ１１）。
【００２１】
そして、読み込んだ値に適した表示装置１４の画面照明照度を求め（Ｓ１２）、求めた画面照明照度となるような照明２０への設定値（画面照度設定値）を波形整形器１９に出力する（Ｓ１３）。
【００２２】
ここで、画面照明照度の算出は、予め設定された外部の明るさを示す値から適した画面照明照度を算出する算出式に基づいて算出してもよいし、外部の明るさを示す値と適する画面照明照度が設定されたテーブルにより、外部の明るさを示す値に適した画面照明照度を求めるようにしてもよい。また、外部の明るさを示す値から画面照度設定値を直接求めるようにしてもよい。
【００２３】
その後、ＣＰＵ１１は、設定されているサンプリング周期だけ処理を待ち合わせ（Ｓ１４）、設定されているサンプリング周期が経過したら、Ｓ１１に戻って、明るさセンサ１６の検出値の読み込みから繰り返す。
【００２４】
図３は、このようにして、ＣＰＵ１１が出力する画面照度設定値と外部環境の明るさとの関係を示した図である。
【００２５】
図３に示すように、明るさセンサ１６の検出周期を長くすると、ＣＰＵ１１が出力する画面照度設定値の変化が大きくなり、そのままでは画面がちらついてしまう。このため、本実施の形態では、ＣＰＵ１１の出力を波形整形器１９に入力し、大きく変化する部分をゆるやかに変化するように波形整形する。
【００２６】
波形整形器１９では、コンデンサ１９ｂにより、ＣＰＵ１１が出力した信号の急激な変化が和らげられ、図４に示すような、ゆるやかに変化する信号が出力される。
【００２７】
このように、本実施の形態においては、ＣＰＵ１１の出力する画面照度設定値を、波形整形器１９でゆるやかに変化するようにし、照明２０への設定出力としているので、ＣＰＵ１１による明るさセンサ１６の検出周期を長くしても、照明２０への設定出力の変化をゆるやかにすることができ、画面の見にくさを低減させることができる。
【００２８】
また、ＣＰＵ１１の明るさセンサ１６の検出周期を長くすることができるので、消費電力を低減させることができる。
【００２９】
（第２の実施の形態）
次に、図５は本発明の第２の実施の形態の電子機器を示す図である。なお、本実施の形態は、上述の第１の実施の形態と略同様に構成されているので、同様な構成には同一の符号を付して特徴部分のみ説明する。
【００３０】
本実施の形態の電子機器は、上述の実施の形態の波形整形器１９に代えて、画面照度出力論理回路２１を備え、画面照度出力論理回路２１の出力する照明２０への設定値をアナログ信号に変換するデジタルアナログ変換部２２を備えることを特徴としている。なお、画面照度出力論理回路２１は画面照度制御部として動作する。
【００３１】
画面照度出力論理回路２１は、図５に示すように、ＣＰＵ１１から設定可能なレジスタで、クロックの周期が設定されるクロック周期レジスタ２１ａ、画面照度出力値が設定される画面照度出力値レジスタ２１ｂ、及びクロック発生の度に加算されるステップ値が設定されるステップ値レジスタ２１ｃと、クロック周期レジスタ２１ａに設定された周期でクロックを発生するクロック２１ｄと、クロック２１ｄの発生するクロック毎に画面照度出力値レジスタ２１ｂの値にステップ値レジスタ２１ｃの値を加算して加算結果を画面照度出力値レジスタ２１ｂに設定する加算器２１ｅとを備えている。
【００３２】
このような電子機器において、ＣＰＵ１１は、明るさセンサ１６の検出結果により、照明２０の照度を調節するようになっている。
【００３３】
具体的には、図６のフローチャートに示すように、ＣＰＵ１１は、明るさセンサ１６が検出した外部の明るさを示す値を読み込む（Ｓ２１）。
【００３４】
そして、読み込んだ値に適した表示装置１４の画面照明照度を求め（Ｓ２２）、求めた画面照明照度となるような照明２０への設定値（画面照度設定値）と画面照度出力値レジスタ２１ｂに設定されている画面照度出力値が等しいかを判定する（Ｓ２３）。
【００３５】
求めた画面照度設定値と画面照度出力値レジスタ２１ｂの画面照度出力値が等しくないときは、クロック周期レジスタ２１ａにクロック周期を設定し（Ｓ２４）、次回のサンプリング時に画面照度出力値レジスタ２１ｂの値が求めた画面照度設定値と同じ値になるようにステップ値レジスタ２１ｃにステップ値を設定し（Ｓ２５）、設定されているサンプリング周期だけ処理を待ち合わせ（Ｓ２７）、設定されているサンプリング周期が経過したら、Ｓ２１に戻って、明るさセンサ１６の検出値の読み込みから繰り返す。
【００３６】
求めた画面照度設定値と画面照度出力値レジスタ２１ｂの画面照度出力値が等しいときは、クロック周期レジスタ２１ａに無限大を設定してクロックを停止させ（Ｓ２６）、設定されているサンプリング周期だけ処理を待ち合わせ（Ｓ２７）、設定されているサンプリング周期が経過したら、Ｓ２１に戻って、明るさセンサ１６の検出値の読み込みから繰り返す。
【００３７】
図７は、このようにして、ＣＰＵ１１が算出する画面照度設定値と画面照度出力論理回路２１が出力する画面照度出力値と外部環境の明るさとの関係を示した図である。
【００３８】
図７に示すように、明るさセンサ１６の検出周期を長くすると、ＣＰＵ１１が出力する画面照度設定値の変化が大きくなるが、画面照度出力値は、画面照度出力論理回路２１でサンプリング周期の間の値の変化を、クロック周期毎にステップ値だけ変化させ、次のサンプリング周期までに算出された画面照度設定値になるようにしているので、ゆるやかな変化になる。
【００３９】
このように、本実施の形態においては、ＣＰＵ１１による明るさセンサ１６の検出周期を長くしても、照明２０への設定出力の変化をゆるやかにすることができ、画面の見にくさを低減させることができる。
【００４０】
また、ＣＰＵ１１の明るさセンサ１６の検出周期を長くすることができるので、消費電力を低減させることができる。
【産業上の利用可能性】
【００４１】
以上のように、本発明にかかる電子機器は、外部環境に合わせて画面を見やすくすることができるとともに、消費電力を削減することができるという効果を有し、表示装置の画面照度を自動調節する電子機器等として有用である。
【図面の簡単な説明】
【００４２】
【図１】本発明の第１の実施の形態における電子機器のブロック図
【図２】本発明の第１の実施の形態における電子機器の動作説明のためのフローチャート
【図３】本発明の第１の実施の形態における電子機器の外部環境の明るさと画面照度設定値との関係を示すグラフ
【図４】本発明の第１の実施の形態における電子機器の外部環境の明るさと画面照度設定値と画面照度を制御する信号との関係を示すグラフ
【図５】本発明の第２の実施の形態における電子機器のブロック図
【図６】本発明の第２の実施の形態における電子機器の動作説明のためのフローチャート
【図７】本発明の第２の実施の形態における電子機器の外部環境の明るさと画面照度設定値と画面照度出力値との関係を示すグラフ
【符号の説明】
【００４３】
１１  ＣＰＵ
１２  メモリ
１３ａ，１３ｂ  入出力インタフェース
１４  表示装置
１５  表示装置制御部
１６  明るさセンサ
１７  アナログデジタル変換部
１８  デジタルアナログ変換部
１９  波形整形器
１９ａ  抵抗
１９ｂ  コンデンサ
２０  照明
２１  画面照度出力論理回路
２１ａ  クロック周期レジスタ
２１ｂ  画面照度出力値レジスタ
２１ｃ  ステップ値レジスタ
２１ｄ  クロック
２１ｅ  加算器
２２  デジタルアナログ変換部
【図１】
2006343389.tif 000003
【図２】
2006343389.tif 000004
【図３】
2006343389.tif 000005
【図４】
2006343389.tif 000006
【図５】
2006343389.tif 000007
【図６】
2006343389.tif 000008
【図７】
2006343389.tif 000009